(57)【要約】  音響機器は、再生する楽曲データの拍位置を解析、または解析結果を取得する拍位置取得部（４４１）と、楽曲データの現在の再生位置を基準として、楽曲データのプラス方向およびマイナス方向に、拍数の差分数値の目盛を表示する拍位置表示部（４４２）と、を備えている。
2019130595.tif 000002
【特許請求の範囲】
【請求項１】
再生する楽曲データの拍位置を解析、または解析結果を取得する拍位置取得部と、
前記楽曲データの現在の再生位置を基準として、前記楽曲データのプラス方向およびマイナス方向に、拍数の差分数値の目盛を表示する拍位置表示部と、
を備えていることを特徴とする音響機器。
【請求項２】
請求項１に記載の音響機器において、
前記楽曲データの任意の時間的位置を登録したキューポイントを前記目盛に重畳して表示するキューポイント表示部を備えていることを特徴とする音響機器。
【請求項３】
請求項２に記載の音響機器において、
前記キューポイント表示部は、前記楽曲データの再生開始の時間位置を登録した再生開始時間位置と、前記楽曲データの検索された時間位置を登録した検索時間位置を区別して表示することを特徴とする音響機器。
【請求項４】
請求項１から請求項３のいずれか一項に記載の音響機器において、
前記拍位置表示部は、拍数の差分数値を小節単位で表示することを特徴とする音響機器。
【請求項５】
コンピュータを請求項１から請求項４のいずれか一項に記載の音響機器として機能させることを特徴とする音響機器用プログラム。
【発明の詳細な説明】
【技術分野】
【０００１】
本発明は、音響機器および音響機器用プログラムに関する。
【背景技術】
【０００２】
従来、ＤＪコントローラ等の音響機器は、コンピュータと接続され、コンピュータ上で実行されるアプリケーションソフトウェアでＭＰ３等のデジタル楽曲データを再生することが行われている。
その際、コンピュータの表示部や、ＤＪコントローラの表示部には、再生される楽曲データの進行状況や、再生される楽曲データのＢＰＭ（Beats Per Minute）値、再生経過時間等の情報が表示され、操作者は、その表示部に表示された画像を見ながら、ＤＪパフォーマンスを行う。【０００３】
たとえば、特許文献１に記載の技術には、オーディオ信号の楽曲１曲の再生時間を取得し、単位時間当たりの拍数、小節数を検出し、表示部上にオーディオ信号の再生の進行状況を、水平方向に小節数を表示し、垂直方向に拍数を表示する技術が開示されている。
【先行技術文献】
【特許文献】
【０００４】
【特許文献１】特許第４３４８３９１号公報
【発明の概要】
【発明が解決しようとする課題】
【０００５】
しかしながら、前記特許文献１に記載の技術では、表示部が十分に大きな場合であれば、操作者の視認性も確保できるが、表示部が小さくなると、操作者が視認しにくくなり、楽曲の再生状況を把握しづらくなるという課題がある。【０００６】
本発明の目的は、操作者に再生中の楽曲の進行状況を視認し易くすることのできる音響機器および音響機器用プログラムを提供することにある。
【課題を解決するための手段】
【０００７】
本発明の音響機器は、再生する楽曲データの拍位置を解析、または解析結果を取得する拍位置取得部と、前記楽曲データの現在の再生位置を基準として、前記楽曲データのプラス方向およびマイナス方向に、拍数の差分数値の目盛を表示する拍位置表示部と、を備えていることを特徴とする。【０００８】
本発明の音響機器用プログラムは、コンピュータを前述した音響機器として機能させることを特徴とする。
【図面の簡単な説明】
【０００９】
【図１】本発明の実施の形態に係る楽曲データ再生制御システムを示す模式図。
【図２】前記実施の形態における表示部に表示される表示態様を示す模式図。
【図３】前記実施の形態における表示部の表示制御を行うコントローラを示すブロック図。
【図４】前記実施の形態における作用を説明するための模式図。
【発明を実施するための形態】
【００１０】
［１］全体構成
以下、本発明の実施の形態を図面に基づいて説明する。図１には、本発明の実施の形態に係る楽曲データ再生制御システム１が示されている、楽曲データ再生制御システム１は、コンピュータ２と、このコンピュータ２にＵＳＢケーブル３を介して接続されるＤＪコントローラ４とを備える。
コンピュータ２は、ＣＰＵおよびハードディスク等の記憶装置を備え、記憶装置内に記憶されたＭＰ３等の楽曲データの再生を行う。楽曲データの再生は、ＣＰＵ上で実行されるアプリケーションソフトウェアによって行われ、再生された楽曲データは、ＵＳＢケーブル３を介して、ＤＪコントローラ４に出力される。また、ＵＳＢケーブル３には、ＤＪコントローラ４のミキサー部４１、デッキ部４２Ｌ、４２Ｒを操作することにより生成された再生制御信号が出力され、コンピュータ２に入力される。コンピュータ２では、ＤＪコントローラ４から出力された再生制御信号に基づいて、再生中の楽曲データに種々の音響効果を付与する。
【００１１】
音響機器として例示されるＤＪコントローラ４は、中央に配置されるミキサー部４１と、ミキサー部４１の左右に配置されるデッキ部４２Ｌ、４２Ｒとを備える。なお、本発明にいう音響機器は、本実施の形態のように、音響再生制御装置だけでなく、楽曲データを再生する音響再生装置も含む概念である。
ミキサー部４１は、コンピュータ２から出力されたオーディオデータの切り替え、各チャンネルの音量調整、音響効果を付与する部分であり、第１チャンネル調整部４１１から第４チャンネル調整部４１４、およびマイク調整部４１５を備える。
ミキサー部４１の右下には、エフェクト部４１Ｅが設けられている。エフェクト部４１Ｅは、再生楽曲に対して楽音効果を付与するために、エフェクト選択スイッチ４１６、チャンネル選択スイッチ４１７、エフェクト量調整スイッチ４１８、およびエフェクト付与スイッチ４１９が設けられている。
【００１２】
デッキ部４２Ｌ、４２Ｒは、操作者が操作をすることにより、コンピュータ２から出力された楽曲データに様々な効果を付与する部分である。デッキ部４２Ｌ、４２Ｒは、ジョグダイヤル４２１、テンポスライダー４２２、パフォーマンスパッド４２３、キューボタン４２４、プレイ／ポーズボタン４２５、ループボタン４２６、デッキセレクトボタン４２７、ロードボタン４２８、およびキュー／ループコールスイッチ４２９を備える。
【００１３】
回転操作子として例示されるジョグダイヤル４２１は、デッキ部４２Ｌ、４２Ｒの機器本体に回転可能に設けられ、操作者がジョグダイヤル４２１の回転操作をすることにより、再生される楽曲データの早送り再生や、逆転再生を行うことができる。
ジョグダイヤル４２１の中央には、液晶表示装置から構成される表示部４３が設けられている。表示部４３には、詳しくは後述するが、再生中の楽曲データのＢＰＭ（Beats Per Minute）値、経過時間、進行状況、拍位置、および再生中の楽曲データの進行に合わせたＬＰレコードの３３ＲＰＭによる回転状態が表示され、操作者に楽曲データの再生進行を視認させている。
【００１４】
テンポスライダー４２２は、再生される楽曲データのテンポを調整するスイッチである。パフォーマンスパッド４２３は、再生中の楽曲データへの効果を切り替えるボタンであり、操作者がパッドを押すと、再生中の楽曲データに対して、瞬間的にループ、キュー、キーシフト、サンプラー等の効果を付与することができる。
キューボタン４２４は、再生する楽曲の頭出しを行うボタンである。
プレイ／ポーズボタン４２５は、楽曲データの再生開始、再生中の楽曲データのポーズを行うボタンである。ループボタン４２６は、再生中の楽曲データのループ再生を行うボタンである。
【００１５】
デッキセレクトボタン４２７は、ミキサー部４１の第１チャンネル調整部４１１から第４チャンネル調整部４１４のうち、どのチャンネルで再生中の楽曲データを操作するかを選択するボタンである。本実施の形態では、左側のデッキ部４２Ｌで第１チャンネル調整部４１１と第３チャンネル調整部４１３との切り替えを行い、右側のデッキ部４２Ｒで第２チャンネル調整部４１２と第４チャンネル調整部４１４との切り替えを行うことができる。
キュー／ループコールスイッチ４２９は、メモリされたキューポイントを呼び出すスイッチである。
【００１６】
ロードボタン４２８は、コンピュータ２から楽曲データをロードするボタンであり、コンピュータ２上で再生する楽曲データが選択された後、このロードボタン４２８を押すと、楽曲データが第１チャンネル調整部４１１から第４チャンネル調整部４１４のいずれかのチャンネルにロードされる。
【００１７】
［２］表示部４３の表示態様
このようなＤＪコントローラ４のデッキ部４２Ｌ、４２Ｒには、それぞれ表示部４３が設けられている。表示部４３は、ジョグダイヤル４２１の回転中心に配置される。
表示部４３は、液晶表示装置から構成され、バックライト、液晶パネル、およびカラーフィルタが積層された構造を備えている。
表示部４３には、図２に示すように、再生中の楽曲データに関する情報が表示される。具体的には、表示部４３には、再生中の楽曲データのＢＰＭ画像（Beats Per Minute）Ｇ１、再生中の楽曲データの経過時間画像Ｇ２、再生中の楽曲データの進行状況に関する画像Ｇ３、楽曲データが持つジャケット画像Ｇ４等が表示される。
【００１８】
また、表示部４３には、回転表示画像Ｇ５が表示され、楽曲データの再生中、ＬＰレコードの回転数３３ＲＰＭと同様の速度で回転し、ジョグダイヤル４２１を操作すると、操作量に応じて回転表示画像Ｇ５も追従して表示位置が移動する。さらに、表示部４３には、マーカー画像Ｇ６が表示され、操作者がマーカー画像Ｇ６の位置を適宜の位置に設定することにより、キューポイント等の位置を視認できるようになっている。
本実施の形態では、再生中の楽曲データの進行状況に関する画像の下には、再生する楽曲データの現在の再生位置を基準として、楽曲データのプラス方向およびマイナス方向に、拍数の差分数値の目盛を表示する拍位置表示画像Ｇ７が表示される。
【００１９】
このような表示部４３の表示態様は、図３に示す機能ブロック図に示す、ＤＪコントローラ４内のコントローラ４４によって表示される。
コントローラ４４は、音響機器用プログラムを構成する、拍位置取得部４４１、拍位置表示部４４２、キューポイント表示部４４３、および画像重畳部４４４を備える。
拍位置取得部４４１は、コンピュータ２で再生される楽曲データ中の拍位置を取得する。拍位置の取得は、コンピュータ２のＣＰＵ上で実行されるアプリケーションソフトウェアにより解析された解析結果を取得してもよいし、拍位置取得部４４１が、入力された楽曲データを解析して、拍位置を取得してもよい。
【００２０】
拍位置表示部４４２は、表示部４３上に表示させる拍位置表示画像Ｇ７を生成する。具体的には、拍位置表示部４４２は、図４に示すように、横線画像Ｇ７１に目盛を打った画像を生成し、横線画像Ｇ７１に長い縦線画像Ｇ７２を重畳させる。
縦線画像Ｇ７２の位置は、楽曲データの現在の再生位置として基準表示され、横線画像Ｇ７１の下に、縦線画像Ｇ７２の現在位置を０として、拍数、本実施の形態では小節数の差分数値の目盛画像Ｇ７３が表示される。具体的には、本実施の形態では、拍位置表示部４４２は、現在再生位置に対して、マイナス方向に４小節分の数値の目盛、プラス方向に１６小節分の数値の目盛画像Ｇ７３を表示する。
また、拍位置表示部４４２は、拍位置画像Ｇ７４を目盛画像Ｇ７３上に重畳して表示する。
【００２１】
キューポイント表示部４４３は、再生中の楽曲データの任意の時間的位置を登録したキューポイントを、目盛画像Ｇ７３上に重畳して表示する。キューポイント表示部４４３は、２種類のキューポイントを区別して表示する。
具体的には、ホットキューポイントおよびメモリキューポイントであり、ホットキューポイントは、楽曲データの再生開始の時間位置を登録した再生開始時間位置である。メモリキューポイントは、楽曲データの検索された時間位置を登録した検索時間位置である。ホットキューポイントは、ホットキューがパフォーマンスパッド４２３によって呼び出されると、ただちにそこから再生開始位置にジャンプして楽曲データが再生される。一方、メモリキューポイントは、検索位置として記憶されており、キュー／ループコールスイッチ４２９によって呼び出されると、再生開始位置にジャンプして再生が止まり、操作者がプレイ／ポーズボタン４２５を押すことにより、再生が開始される。
【００２２】
キューポイント表示部４４３は、図４に示すように、拍位置表示部４４２によって表示された拍位置表示画像Ｇ７の上部にホットキューポイント画像Ｇ７５、メモリキューポイント画像Ｇ７６を重畳させて表示する。なお、ホットキューポイントおよびメモリキューポイントが重なる位置となった場合、キューポイント表示部４４３は、ホットキューポイント画像Ｇ７５を最前面に表示させ、その背面にメモリキューポイント画像Ｇ７６を表示する。
【００２３】
画像重畳部４４４は、拍位置表示部４４２によって生成された拍位置表示画像Ｇ７、およびキューポイント表示部４４３によって生成されたホットキューポイント画像Ｇ７５、メモリキューポイント画像Ｇ７６の他、前述したＢＰＭ画像Ｇ１、楽曲データの経過時間画像Ｇ２、楽曲データの進行状況に関する画像Ｇ３、回転表示画像Ｇ５、およびマーカー画像Ｇ６を重畳させて、表示部４３上に表示する。
【００２４】
［３］実施の形態の作用および効果
このような本実施の形態では、図４に示すように、拍位置表示画像Ｇ７および目盛画像Ｇ７３は、表示部４３の一定位置に固定表示される。楽曲データの進行により、拍位置画像Ｇ７４、ホットキューポイント画像Ｇ７５、およびメモリキューポイント画像Ｇ７６は、楽曲の進行とともに、左側に移動していく。
【００２５】
これにより、簡素な拍位置表示画像Ｇ７上で現在の楽曲データの再生位置と、その前後の拍位置を操作者が視認できるため、操作者に再生中の楽曲の進行状況を視認し易くすることができる。
また、拍位置表示画像Ｇ７が、プラス方向のみならず、マイナス方向の拍位置を表示するように構成されているので、ＤＪコントローラ４のスクラッチ動作のような、逆転再生においても、拍位置表示画像Ｇ７で既に再生されたキューポイント等を確認しながら、ＤＪパフォーマンスを行うことができ、ＤＪコントローラ４の操作性を向上することができる。
【００２６】
拍位置表示画像Ｇ７上にキューポイント画像Ｇ７５、Ｇ７６が重畳表示されているため、楽曲データの再生位置に応じて、どの位置にキューポイントが設定されているかが、視認し易くなるため、操作者に楽曲データのキューポイント位置を認識しやすくすることができ、操作性の向上を図ることができる。
拍数の差分数値の目盛画像Ｇ７３が、小節単位で表示されるため、長い小節数を短い長さで表示することができ、操作者の視認性が一層向上する。
【００２７】
［４］実施の形態の変形
なお、本発明は、前述した実施の形態に限定されるものではなく、以下のような変形をも含むものである。
前述した実施の形態に係る拍位置表示画像Ｇ７は、目盛画像Ｇ７３が、小節単位の数値として表示されていたが、本発明は、これに限られない。たとえば、拍位置表示画像Ｇ７における目盛画像を、拍数とし、差分数値の目盛画像を、−１６拍、０拍、１６拍、３２拍、４８拍、６４拍のように表示してもよい。
【００２８】
また、前述した拍位置表示画像Ｇ７は、マイナス方向に４小節、プラス方向に１６小節の拍位置が表示されていたが、本発明は、これに限られない。たとえば、マイナス方向に８小節、プラス方向に８小節の拍位置を表示してもよく、プラス方向、マイナス方向の拍位置の表示は適宜の拍位置に設定してもよい。
その他、本発明の実施の際の具体的な構造および形状等は、本発明の目的を達成できる範囲で他の構造等としてもよい。
【符号の説明】
【００２９】
１…楽曲データ再生制御システム、２…コンピュータ、３…ＵＳＢケーブル、４…ＤＪコントローラ、４１…ミキサー部、４１Ｅ…エフェクト部、４２Ｌ…デッキ部、４２Ｒ…デッキ部、４３…表示部、４４…コントローラ、４１１…第１チャンネル調整部、４１２…第２チャンネル調整部、４１３…第３チャンネル調整部、４１４…第４チャンネル調整部、４１５…マイク調整部、４１６…エフェクト選択スイッチ、４１７…チャンネル選択スイッチ、４１８…エフェクト量調整スイッチ、４１９…エフェクト付与スイッチ、４２１…ジョグダイヤル、４２２…テンポスライダー、４２３…パフォーマンスパッド、４２４…キューボタン、４２５…プレイ／ポーズボタン、４２６…ループボタン、４２７…デッキセレクトボタン、４２８…ロードボタン、４２９…キュー／ループコールスイッチ、４４１…拍位置取得部、４４２…拍位置表示部、４４３…キューポイント表示部、４４４…画像重畳部、Ｇ１…ＢＰＭ画像、Ｇ２…経過時間画像、Ｇ３…画像、Ｇ４…ジャケット画像、Ｇ５…回転表示画像、Ｇ６…マーカー画像、Ｇ７…拍位置表示画像、Ｇ７１…横線画像、Ｇ７２…縦線画像、Ｇ７３…目盛画像、Ｇ７４…拍位置画像、Ｇ７５…ホットキューポイント画像、Ｇ７６…メモリキューポイント画像。
【図１】
2019130595.tif 000003
【図２】
2019130595.tif 000004
【図３】
2019130595.tif 000005
【図４】
2019130595.tif 000006
【国際調査報告】
2019130595.tif 000007
2019130595.tif 000008